【手続補正書】
【提出日】令和1年8月21日(2019.8.21)
【手続補正１】
【補正対象書類名】特許請求の範囲
【補正対象項目名】全文
【補正方法】変更
【補正の内容】
【特許請求の範囲】
【請求項１】
ワイヤレスマイクロフォン及び／又はインイヤーモニタリングシステムであって、
第１音声信号をワイヤレス送信するように、第２音声信号をワイヤレス受信するように、又は第１音声信号をワイヤレス送信し且つ第２音声信号をワイヤレス受信するように構成された少なくとも２つのモバイル機器と、
少なくとも２つのモバイル機器から送信された第１音声信号をワイヤレス受信するように、少なくとも２つのモバイル機器へ第２音声信号をワイヤレス送信するように、又は少なくとも２つのモバイル機器から送信された第１音声信号をワイヤレス受信し且つ少なくとも２つのモバイル機器へ第２音声信号をワイヤレス送信するように構成された少なくとも１つの基地局とを有し、
第１音声信号のワイヤレス伝送、第２音声信号のワイヤレス伝送、又はこれらの両方は、直交周波数分割多重（ＯＦＤＭ）時分割多元接続（ＴＤＭＡ）伝送に基づいており、
少なくとも２つのモバイル機器の各々は、２ｍｓ未満に少なくとも一度、第１音声信号を送信し、２ｍｓ未満に少なくとも一度、第２音声信号を受信し、又は２ｍｓ未満に少なくとも一度、第１音声信号を送信し且つ第２音声信号を受信し、
各ＴＤＭＡフレームは、複数のスロットを有し、これらのスロットは、それぞれ正に１つのＯＦＤＭシンボルを有し、
少なくとも１つのＴＤＭＡフレームは、単一のビーコンスロットを有し、
少なくとも１つの基地局は、少なくとも２つのモバイル機器へビーコンスロットでビーコンシンボルを送信するように構成されており、
少なくとも２つのモバイル機器の各々は、ＯＦＤＭに基づく伝送のための調整情報としてビーコンシンボルを利用するように構成されており、
少なくとも２つのモバイル機器の各々からの第１音声信号の、ＯＦＤＭに基づく前記伝送は、前記ビーコンシンボルに基づいていること
を特徴とするワイヤレスマイクロフォン及び／又はインイヤーモニタリングシステム。
【請求項２】
各ＯＦＤＭシンボルは、巡回拡張部により延長されていること
を特徴とする、請求項１に記載のワイヤレスマイクロフォン及び／又はインイヤーモニタリングシステム。
【請求項３】
少なくとも１つのＴＭＤＡフレームは、少なくとも２つの送信方向変更期間を有すること
を特徴とする、請求項１に記載のワイヤレスマイクロフォン及び／又はインイヤーモニタリングシステム。
【請求項４】
第１音声信号、第２音声信号、又はこれらの両方は、複数のスロットによりＴＤＭＡフレームごとに伝送されること
を特徴とする、請求項１に記載のワイヤレスマイクロフォン及び／又はインイヤーモニタリングシステム。
【請求項５】
ワイヤレス伝送の伝送チャネルは、５ＭＨｚから２６ＭＨｚまでの幅を有すること
を特徴とする、請求項１に記載のワイヤレスマイクロフォン及び／又はインイヤーモニタリングシステム。
【請求項６】
複数のフレームが１つのスーパーフレームを構成し、
スーパーフレーム内の前記複数のフレームの異なるフレーム内には、少なくとも、ビーコンスロットと、コントロールスロットと、返答スロットが含まれていること
を特徴とする、請求項１に記載のワイヤレスマイクロフォン及び／又はインイヤーモニタリングシステム。
【請求項７】
ビーコンスロットは、ビーコンシンボルを有し、該ビーコンシンボルは、少なくとも２つのモバイル機器の各々により、自動利得制御の決定のため、時間的な同期の決定のため、搬送波周波数オフセットの決定のため、又はそれらの組み合わせによる決定のために用いられていること
を特徴とする、請求項６に記載のワイヤレスマイクロフォン及び／又はインイヤーモニタリングシステム。
【請求項８】
ビーコンシンボルは、少なくとも、搬送波周波数オフセットの決定のために、少なくとも１つのモバイル機器により用いられ、
少なくとも１つのモバイル機器は、搬送波周波数オフセットを用いて基地局の搬送波周波数に対して同期されていること
を特徴とする、請求項７に記載のワイヤレスマイクロフォン及び／又はインイヤーモニタリングシステム。
【請求項９】
コントロールスロットは、少なくとも２つのモバイル機器のための制御情報を有すること
を特徴とする、請求項６に記載のワイヤレスマイクロフォン及び／又はインイヤーモニタリングシステム。
【請求項１０】
返答スロットは、少なくとも２つのモバイル機器によるコントロールスロット内の制御情報の交換を確認するために用いられること
を特徴とする、請求項６に記載のワイヤレスマイクロフォン及び／又はインイヤーモニタリングシステム。
【請求項１１】
少なくとも２つのモバイル機器の各々は、ＯＦＤＭ伝送の受信電力を決定するためにビーコンシンボルを利用するように構成されていること
を特徴とする、請求項１に記載のワイヤレスマイクロフォン及び／又はインイヤーモニタリングシステム。
【請求項１２】
少なくとも２つのモバイル機器の各々は、搬送波周波数オフセット（ＣＦＯ）を決定するためにビーコンシンボルを利用するように構成されていること
を特徴とする、請求項１に記載のワイヤレスマイクロフォン及び／又はインイヤーモニタリングシステム。
【請求項１３】
少なくとも２つのモバイル機器の各々は、ＴＤＭＡフレームの時間同期を行うためにビーコンシンボルを利用するように構成されていること
を特徴とする、請求項１に記載のワイヤレスマイクロフォン及び／又はインイヤーモニタリングシステム。
【請求項１４】
各ＯＦＤＭシンボルは、第１音声信号及び／又は第２音声信号の音声データを得るためにＯＦＤＭシンボルをデコードするために要求される全ての情報を含むこと
を特徴とする、請求項１に記載のワイヤレスマイクロフォン及び／又はインイヤーモニタリングシステム。
【請求項１５】
少なくとも２つのモバイル機器は、少なくとも１つのワイヤレスマイクロフォンと、少なくとも１つのワイヤレスインイヤーモニタリングユニットを含むこと
を特徴とする、請求項１に記載のワイヤレスマイクロフォン及び／又はインイヤーモニタリングシステム。
【請求項１６】
少なくとも１つのワイヤレスマイクロフォンは、第１音声信号をワイヤレス送信し、少なくとも１つのワイヤレスインイヤーモニタリングユニットは、第２音声信号を受信すること
を特徴とする、請求項１５に記載のワイヤレスマイクロフォン及び／又はインイヤーモニタリングシステム。
【請求項１７】
更に少なくとも１つの第３のモバイル機器が含まれており、少なくとも１つの第３のモバイル機器は、第１音声信号をワイヤレス送信し且つ第２音声信号をワイヤレス受信すること
を特徴とする、請求項１５に記載のワイヤレスマイクロフォン及び／又はインイヤーモニタリングシステム。
【請求項１８】
複数のＴＤＭＡフレームが１つのスーパーフレームを構成し、
スーパーフレーム内の前記複数のＴＤＭＡフレームのＴＤＭＡフレームの各々は、少なくとも２つの送信方向変更期間を有すること
を特徴とする、請求項１に記載のワイヤレスマイクロフォン及び／又はインイヤーモニタリングシステム。
【請求項１９】
コントロールスロットと返答スロットの間に送信方向変更があり、返答スロットは、コントロールスロット内の制御情報の交換を確認するために用いられること
を特徴とする、請求項６に記載のワイヤレスマイクロフォン及び／又はインイヤーモニタリングシステム。
【請求項２０】
少なくとも２つのモバイル機器と、少なくとも１つの基地局とを有する、ワイヤレスマイクロフォン及び／又はインイヤーモニタリングシステムを制御する方法であって、
第１音声信号を少なくとも２つのモバイル機器の少なくとも１つから少なくとも１つの基地局へワイヤレス送信すること、
第２音声信号を少なくとも１つの基地局から少なくとも２つのモバイル機器へワイヤレス送信すること、又は
第１音声信号を少なくとも２つのモバイル機器の少なくとも１つから少なくとも１つの基地局へワイヤレス送信し且つ第２音声信号を少なくとも１つの基地局から少なくとも２つのモバイル機器へワイヤレス送信することを含み、
第１音声信号のワイヤレス伝送、第２音声信号のワイヤレス伝送、又はこれらの両方は、直交周波数分割多重（ＯＦＤＭ）時分割多元接続（ＴＤＭＡ）伝送に基づいており、
少なくとも２つのモバイル機器の各々は、２ｍｓ未満に少なくとも一度、第１音声信号を送信し、２ｍｓ未満に少なくとも一度、第２音声信号を受信し、又は２ｍｓ未満に少なくとも一度、第１音声信号を送信し且つ第２音声信号を受信し、
各ＴＤＭＡフレームは、複数のスロットを有し、これらのスロットは、それぞれ正に１つのＯＦＤＭシンボルを有し、
少なくとも１つのＴＤＭＡフレームは、単一のビーコンスロットを有し、
少なくとも１つの基地局は、少なくとも２つのモバイル機器へビーコンスロットでビーコンシンボルを送信するように構成されており、
少なくとも２つのモバイル機器の各々は、第１音声信号のそれらのワイヤレス伝送を同期するためにビーコンシンボルを利用するように構成されており、
少なくとも２つのモバイル機器の各々からの第１音声信号の前記ワイヤレス伝送は、前記ビーコンシンボルに基づいて同期されていること
を特徴とする方法。
【手続補正２】
【補正対象書類名】明細書
【補正対象項目名】０００６
【補正方法】変更
【補正の内容】
【０００６】
前記課題は、請求項１によるワイヤレスマイクロフォン及び／又はインイヤーモニタリングシステムにより、並びに請求項２０によるワイヤレスマイクロフォン及び／又はインイヤーモニタリングシステムを制御する方法により解決される。
即ち本発明の第１の視点により、ワイヤレスマイクロフォン及び／又はインイヤーモニタリングシステムであって、第１音声信号をワイヤレス送信するため及び／又は第２音声信号をワイヤレス受信するための複数のモバイル機器と、複数のモバイル機器から送信された第１音声信号をワイヤレス受信するため及び／又は複数のモバイル機器へ第２音声信号をワイヤレス送信するための少なくとも１つの基地局とを有し、当該ワイヤレス伝送は、直交周波数分割多重ＯＦＤＭ・時分割多元接続ＴＤＭＡ伝送に基づいており、各モバイル機器は、２ｍｓ未満（＜２ｍｓ）に少なくとも一度、第１音声信号を送信し及び／又は第２音声信号を受信し、ＴＤＭＡ伝送は、ＴＤＭＡフレームにおいて行われ、各ＴＤＭＡフレームは、複数のスロットを有し、モバイル機器は、ＴＤＭＡフレームの個々のスロット中において第１音声信号及び／又は第２音声信号を送信及び／又は受信するように構成されており、少なくとも１つの基地局は、複数のモバイル機器へビーコンスロットでビーコンシンボルを送信するように構成されており、モバイル機器からのＯＦＤＭ伝送がビーコンシンボルの受信に基づくよう、モバイル機器は、ＯＦＤＭ伝送のための調整情報としてビーコンシンボルを評価するように構成されており、そして各スロットは、正に１つのＯＦＤＭシンボルを有することを特徴とするワイヤレスマイクロフォン及び／又はインイヤーモニタリングシステムが提供される。
より詳しくは、前記第１の視点において、ワイヤレスマイクロフォン及び／又はインイヤーモニタリングシステムであって、第１音声信号をワイヤレス送信するように、第２音声信号をワイヤレス受信するように、又は第１音声信号をワイヤレス送信し且つ第２音声信号をワイヤレス受信するように構成された少なくとも２つのモバイル機器と、少なくとも２つのモバイル機器から送信された第１音声信号をワイヤレス受信するように、少なくとも２つのモバイル機器へ第２音声信号をワイヤレス送信するように、又は少なくとも２つのモバイル機器から送信された第１音声信号をワイヤレス受信し且つ少なくとも２つのモバイル機器へ第２音声信号をワイヤレス送信するように構成された少なくとも１つの基地局とを有し、第１音声信号のワイヤレス伝送、第２音声信号のワイヤレス伝送、又はこれらの両方は、直交周波数分割多重（ＯＦＤＭ）時分割多元接続（ＴＤＭＡ）伝送に基づいており、少なくとも２つのモバイル機器の各々は、２ｍｓ未満に少なくとも一度、第１音声信号を送信し、２ｍｓ未満に少なくとも一度、第２音声信号を受信し、又は２ｍｓ未満に少なくとも一度、第１音声信号を送信し且つ第２音声信号を受信し、各ＴＤＭＡフレームは、複数のスロットを有し、これらのスロットは、それぞれ正に１つのＯＦＤＭシンボルを有し、少なくとも１つのＴＤＭＡフレームは、単一のビーコンスロットを有し、少なくとも１つの基地局は、少なくとも２つのモバイル機器へビーコンスロットでビーコンシンボルを送信するように構成されており、少なくとも２つのモバイル機器の各々は、ＯＦＤＭに基づく伝送のための調整情報としてビーコンシンボルを利用するように構成されており、少なくとも２つのモバイル機器の各々からの第１音声信号の、ＯＦＤＭに基づく前記伝送は、前記ビーコンシンボルに基づいていることを特徴とする。
更に本発明の第２の視点により、ワイヤレスマイクロフォン及び／又はインイヤーモニタリングシステムを制御する方法であって、第１音声信号をワイヤレス送信するため及び／又は第２音声信号をワイヤレス受信するための複数のモバイル機器と、複数のモバイル機器から送信された第１音声信号をワイヤレス受信するため及び／又は複数のモバイル機器へ第２音声信号をワイヤレス送信するための少なくとも１つの基地局とを有し、当該ワイヤレス伝送は、直交周波数分割多重ＯＦＤＭ・時分割多元接続ＴＤＭＡ伝送に基づいており、各モバイル機器は、２ｍｓ未満（＜２ｍｓ）に少なくとも一度、第１音声信号を送信し及び／又は第２音声信号を受信し、ＴＤＭＡ伝送は、ＴＤＭＡフレームにおいて行われ、各ＴＤＭＡフレームは、複数のスロットを有し、ＴＤＭＡフレームの個々のスロット中において複数のモバイル機器により第１音声信号及び／又は第２音声信号を送信すること、少なくとも１つの基地局により複数のモバイル機器へビーコンスロットでビーコンシンボルを送信すること、モバイル機器からのＯＦＤＭ伝送がビーコンシンボルの受信に基づくよう、モバイル機器によりＯＦＤＭ伝送のための調整情報としてビーコンシンボルを評価すること、そして各スロットは、正に１つのＯＦＤＭシンボルを有することを特徴とする方法が提供される。
より詳しくは、前記第２の視点において、少なくとも２つのモバイル機器と、少なくとも１つの基地局とを有する、ワイヤレスマイクロフォン及び／又はインイヤーモニタリングシステムを制御する方法であって、第１音声信号を少なくとも２つのモバイル機器の少なくとも１つから少なくとも１つの基地局へワイヤレス送信すること、第２音声信号を少なくとも１つの基地局から少なくとも２つのモバイル機器へワイヤレス送信すること、又は第１音声信号を少なくとも２つのモバイル機器の少なくとも１つから少なくとも１つの基地局へワイヤレス送信し且つ第２音声信号を少なくとも１つの基地局から少なくとも２つのモバイル機器へワイヤレス送信することを含み、第１音声信号のワイヤレス伝送、第２音声信号のワイヤレス伝送、又はこれらの両方は、直交周波数分割多重（ＯＦＤＭ）時分割多元接続（ＴＤＭＡ）伝送に基づいており、少なくとも２つのモバイル機器の各々は、２ｍｓ未満に少なくとも一度、第１音声信号を送信し、２ｍｓ未満に少なくとも一度、第２音声信号を受信し、又は２ｍｓ未満に少なくとも一度、第１音声信号を送信し且つ第２音声信号を受信し、各ＴＤＭＡフレームは、複数のスロットを有し、これらのスロットは、それぞれ正に１つのＯＦＤＭシンボルを有し、少なくとも１つのＴＤＭＡフレームは、単一のビーコンスロットを有し、少なくとも１つの基地局は、少なくとも２つのモバイル機器へビーコンスロットでビーコンシンボルを送信するように構成されており、少なくとも２つのモバイル機器の各々は、第１音声信号のそれらのワイヤレス伝送を同期するためにビーコンシンボルを利用するように構成されており、少なくとも２つのモバイル機器の各々からの第１音声信号の前記ワイヤレス伝送は、前記ビーコンシンボルに基づいて同期されていることを特徴とする。
尚、本願の特許請求の範囲に付記されている図面参照符号は、専ら本発明の理解の容易化のためのものであり、図示の形態への限定を意図するものではないことを付言する。